(57)【要約】【課題】  装飾物保持体をテーブル等の設置部に後上がりに傾斜させてガタ付かないように安定に設置できるようにした装飾物展示スタンド及び装飾物ディスプレイ装置を提供する。【解決手段】  装飾物保持体４を展示する装飾物展示スタンドであって、設置部に載置される底壁１５と、底壁１５の後端部から立ち上がった後壁１６と、後壁１６の上端部側と底壁１５の前端部側との間に連結されて後上がりに傾斜した傾斜支持壁１７とを備え、傾斜支持壁１７には、装飾物保持体４の鍔部８を傾斜支持壁１７の前面に沿わせるように保持筒部７を嵌合保持する嵌合窓４９が設けられている。【選択図】図１
2014068797.tif 000002
【特許請求の範囲】
【請求項１】
有底筒状の保持筒部（７）と保持筒部（７）の開口縁部から外方突出された鍔部（８）とを備え、保持筒部（７）内に、装飾物を保持筒部（７）の開口側から露出するように保持した装飾物保持体（４）を展示する装飾物展示スタンドであって、
設置部に載置される底壁（１５）と、底壁（１５）の後端部から立ち上がった後壁（１６）と、後壁（１６）の上端部側と底壁（１５）の前端部側との間に連結されて後上がりに傾斜した傾斜支持壁（１７）とを備え、傾斜支持壁（１７）には、装飾物保持体（４）の鍔部（８）を傾斜支持壁（１７）の前面に沿わせるように保持筒部（７）を嵌合保持する嵌合窓（４９）が設けられていることを特徴とする装飾物展示スタンド。
【請求項２】
前記嵌合窓（４９）が拡縮調整自在とされていることを特徴とする請求項１に記載の装飾物展示スタンド。
【請求項３】
所定形状の厚紙（１３）を折り曲げて組み立てることにより構成された装飾物展示スタンドであって、
前記傾斜支持壁（１７）に、中央部側から外側方上がりに傾斜した左右一対の上傾斜ミシン目（３７）が設けられると共に、中央部側から外側方下がりに傾斜した左右一対の下傾斜ミシン目（３８）が前記一対の上傾斜ミシン目（３７）の下方にそれぞれ対応するように設けられており、傾斜支持壁（１７）を前記上傾斜ミシン目（３７）と下傾斜ミシン目（３８）とで中央部側から所望長さだけ切断して、傾斜支持壁（１７）の一対の上傾斜ミシン目（３７）間と一対の下傾斜ミシン目（３８）間とを後方に折り曲げると共に、対応する上傾斜ミシン目（３７）と下傾斜ミシン目（３８）との間を後方に折り曲げることによって、前記嵌合窓（４９）が傾斜支持壁（１７）に拡縮調整自在に形成可能とされていることを特徴とする請求項１又は２に記載の装飾物展示スタンド。
【請求項４】
前記請求項１〜３のいずれかに記載の装飾物展示スタンドと装飾物保持体（４）とを備え、装飾物保持体（４）の保持筒部（７）に、加工花を保持筒部（７）の開口側から突出するように保持したことを特徴とする装飾物ディスプレイ装置。
【請求項５】
前記装飾物展示スタンドと装飾物保持体（４）とを収納する透明な保護ケース（５）が具備されていることを特徴とする請求項４に記載の装飾物ディスプレイ装置。
【発明の詳細な説明】
【技術分野】
【０００１】
本発明は、装飾物展示スタンド及び装飾物ディスプレイ装置に関するものである。
【背景技術】
【０００２】
従来、プリザーブドフラワー等の装飾物を飾るための装飾物保持体には、有底筒状の保持筒部と保持筒部の開口縁部から額縁状に外方突出された鍔部とを備え、保持筒部に、プリザーブドフラワー等の装飾物を保持筒部の開口側から突出又は露出するように保持するようにしたものがある（例えば特許文献１、２）。
【先行技術文献】
【特許文献】
【０００３】
【特許文献１】特開２００６−１６８０９１号公報
【特許文献２】特開２００１−３３４７９７号公報
【発明の概要】
【発明が解決しようとする課題】
【０００４】
従来の装飾物保持体は保持筒部の開口側を前方に向けた状態で壁等に掛けることにより額縁状の鍔部が壁等に沿って垂直状になるように取り付けて展示するのが一般的である。
ところで、装飾物保持体をテーブル等の設置部に載置して装飾物を展示することを望む場合が考えられ、この場合、テーブル等の設置部は目線よりも低い位置にあるため、装飾物保持体を後上がりに傾斜させて載置することが好ましいが、このようにすれば、装飾物保持体の設置面積が狭くなることもあって、従来では装飾物保持体を後上がりに傾斜させてガタ付かないように安定に設置することが困難であった。
【０００５】
本発明は上記問題点に鑑み、装飾物保持体をテーブル等の設置部に後上がりに傾斜させてガタ付かないように安定に設置できるようにした装飾物展示スタンド及び装飾物ディスプレイ装置を提供することを目的としている。
【課題を解決するための手段】
【０００６】
本発明における課題解決のための具体的手段は、次の通りである。
この技術的課題を解決する本発明の装飾物展示スタンドの技術的手段は、有底筒状の保持筒部７と保持筒部７の開口縁部から外方突出された鍔部８とを備え、保持筒部７内に、装飾物を保持筒部７の開口側から露出するように保持した装飾物保持体４を展示する装飾物展示スタンドであって、
設置部に載置される底壁１５と、底壁１５の後端部から立ち上がった後壁１６と、後壁１６の上端部側と底壁１５の前端部側との間に連結されて後上がりに傾斜した傾斜支持壁１７とを備え、傾斜支持壁１７には、装飾物保持体４の鍔部８を傾斜支持壁１７の前面に沿わせるように保持筒部７を嵌合保持する嵌合窓４９が設けられている点にある。
【０００７】
また、本発明の装飾物展示スタンドの他の技術的手段は、前記嵌合窓４９が拡縮調整自在とされている点にある。
また、本発明の装飾物展示スタンドの他の技術的手段は、所定形状の厚紙１３を折り曲げて組み立てることにより構成された装飾物展示スタンドであって、
前記傾斜支持壁１７に、中央部側から外側方上がりに傾斜した左右一対の上傾斜ミシン目３７が設けられると共に、中央部側から外側方下がりに傾斜した左右一対の下傾斜ミシン目３８が前記一対の上傾斜ミシン目３７の下方にそれぞれ対応するように設けられており、傾斜支持壁１７を前記上傾斜ミシン目３７と下傾斜ミシン目３８とで中央部側から所望長さだけ切断して、傾斜支持壁１７の一対の上傾斜ミシン目３７間と一対の下傾斜ミシン目３８間とを後方に折り曲げると共に、対応する上傾斜ミシン目３７と下傾斜ミシン目３８との間を後方に折り曲げることによって、前記嵌合窓４９が傾斜支持壁１７に拡縮調整自在に形成可能とされている点にある。
【０００８】
また、本発明の装飾物ディスプレイ装置の技術的手段は、装飾物展示スタンド３と装飾物保持体４とを備え、装飾物保持体４の保持筒部７に、加工花を保持筒部７の開口側から突出するように保持した点にある。
また、本発明の装飾物ディスプレイ装置の他の技術的手段は、前記装飾物展示スタンドと装飾物保持体４とを収納する透明な保護ケース５が具備されている点にある。
【発明の効果】
【０００９】
本発明によれば、装飾物保持体の鍔部を傾斜支持壁の前面に沿わせるように保持筒部を嵌合窓に嵌合保持することによって、装飾物保持体をテーブル等の設置部上に後上がりに傾斜させた状態でガタ付かないように安定に設置でき、装飾物保持体に保持した装飾体をテーブル等の設置部に見やすい状態で展示することが可能になる。
【図面の簡単な説明】
【００１０】
【図１】本発明の一実施形態を示す装飾物ディスプレイ装置の斜視図である。
【図２】同装飾物ディスプレイ装置の側面断面図である。
【図３】同図２のＡ−Ａ端面図である。
【図４】同装飾物展示スタンドの展開図である。
【図５】変形例を示す傾斜支持壁の中央部側の正面図である。
【図６】他の変形例を示す傾斜支持壁の中央部側の正面図である。
【発明を実施するための形態】
【００１１】
以下、本発明の実施の形態を図面に基づいて説明する。
図１〜図４は本発明の一実施形態を示している。図１〜図４において、装飾物ディスプレイ装置１は、装飾物展示スタンド３と装飾物保持体４とを備えると共に、装飾物展示スタンド３と装飾物保持体４とを収納する透明な保護ケース５が具備されている。
装飾物保持体４は、木板等により構成され、有底角筒状の保持筒部７と保持筒部７の開口縁部から外方突出された鍔部８とを備え、保持筒部７に、装飾物であるプリザーブドフラワー９が保持筒部７の開口側から突出するように保持されている。保持筒部７内には吸水性のない発砲スチロール１０が収納保持されており、この発砲スチロール１０にプリザーブドフラワー９の茎を突き刺すことによって上記の如くプリザーブドフラワー９が保持筒部７に保持されている。
【００１２】
装飾物展示スタンド３は、装飾物保持体４を展示するためのもので、図４に示す所定形状の厚紙１３を折り曲げて組み立てることにより構成され、テーブル等の設置部に載置される水平状の底壁１５と、底壁１５の後端部から立ち上がった後壁１６と、後壁１６の上端部側と底壁１５の前端部側との間に連結されて後上がりに傾斜した傾斜支持壁１７と、底壁１５の前端部と傾斜支持壁１７の下端部との間に設けた起立壁１８と、左右一対の側壁１９とを備え、底壁１５と後壁１６と傾斜支持壁１７と起立壁１８とで左右方向の筒状体が形成され、この筒状体の左右方向両端を左右の側壁１９が閉塞している。
【００１３】
図４に示すように、傾斜支持壁１７と後壁１６とは折れ線（折りケイ）２１ａを介して一体に連結され、傾斜支持壁１７と起立壁１８とは折れ線２１ｂを介して連結され、起立壁１８と底壁１５とは折れ線２１ｃを介して連結され、傾斜支持壁１７と左右の側壁１９とはそれぞれ折れ線２１ｄを介して連結されている。
後壁１６に折れ線２１ｅを介して下部連結片２７が突設され、折れ線２１ｆを介して左右一対の側部連結片２８がそれぞれ突設されている。左右の側壁１９にそれぞれ折れ線２１ｇを介して側部舌片２９が突設され、底壁１５に折れ線２１ｈを介して後部舌片３０が突設されている。
【００１４】
前記折れ線（折りケイ）２１ａ〜２１ｈの全ては厚紙１３の裏面側に直線状の凹み等で形成されており、厚紙１３を折れ線２１ａ〜２１ｈで谷折りに折るようになっている。
後壁１６と下部連結片２７との間に、後部舌片３０に対応する後部切り込み２３が設けられ、後壁１６と左右の側部連結片２８との間に、側部舌片２９に対応する側部切り込み２４がそれぞれ設けられている。
【００１５】
而して、厚紙１３を全ての折れ線２１ａ〜２１ｈで谷折りに折って、下部連結片２７を底壁１５の後端部上面に沿わせると共に、左右の側部連結片２８を左右の側壁１９の後端部内面にそれぞれ沿わし、また、後部舌片３０を後部切り込み２３に差し込んで後壁１６の下端部内面に沿わすと共に、左右の側部舌片２９をそれぞれ側部切り込み２４に差し込んで後壁１６の側端部内面に沿わすことにより、上記の如く底壁１５と後壁１６と傾斜支
持壁１７と起立壁１８とで筒状体が形成され、この筒状体の左右方向両端を左右の側壁１９が閉塞し、その結果、装飾物展示スタンド３が組み立てられるようになっている。
【００１６】
図４に示すように、前記傾斜支持壁１７の中央部に左右方向の横切り込み３３と、横切り込み３３の左右両端から上下両側に切り込んでなる左右一対の縦切り込み３４とが設けられている。また、傾斜支持壁１７の中央部側である左右の縦切り込み３４の上端から外側方上がりに傾斜した左右一対の上傾斜ミシン目３７が設けられると共に、傾斜支持壁１７の中央部側である左右の縦切り込み３４の下端から外側方下がりに傾斜した左右一対の下傾斜ミシン目３８が設けられている。
【００１７】
一対の上傾斜ミシン目３７は左右に対応していて左右に対称になっている。一対の下傾斜ミシン目３８は左右に対応していて左右に対称になっている。また、左右の上傾斜ミシン目３７と左右の下傾斜ミシン目３８とはそれぞれ上下に対応していて互いに上下対称になっている。
そして、傾斜支持壁１７の横切り込み３３の上方の縦切り込み３４間及び左右の上傾斜ミシン目３７間が上嵌合舌片４１とされ、傾斜支持壁１７の横切り込み３３の下方の縦切り込み３４間及び左右の下傾斜ミシン目３８間が下嵌合舌片４２とされ、上下に対応する上傾斜ミシン目３７と下傾斜ミシン目３８との間がそれぞれ左右の側部嵌合舌片４３とされている。
【００１８】
傾斜支持壁１７の左右の上傾斜ミシン目３７間（上嵌合舌片４１）に左右方向の上横折れ線４５が上下に一定間隔をおいて複数個（３個）設けられ、下傾斜ミシン目３８間（下嵌合舌片４２）に左右方向の下横折れ線４６が上下に一定間隔をおいて複数個（３個）設けられている。
また、傾斜支持壁１７の上下に対応する上傾斜ミシン目３７と下傾斜ミシン目３８との間（左右の側部嵌合舌片４３）に縦折れ線４７がそれぞれ左右に一定間隔をおいて複数個（３個）ずつ設けられている。
【００１９】
複数の上横折れ線４５及び複数の下横折れ線４６と複数の縦折れ線４７とは、両端同士が上傾斜ミシン目３７又は下傾斜ミシン目３８上で順次連結されており、複数の上横折れ線４５と複数の下横折れ線４６と複数の縦折れ線４７とで、中央側から外側に向けて順次に大きくなる複数（３個）の長方形が形成されている。
なお、前記上横折れ線（折りケイ）４５、下横折れ線（折りケイ）４６及び縦折れ線（折りケイ）４７の全ては厚紙１３の裏面側に直線状の凹み等で形成されており、傾斜支持壁１７を上横折れ線４５、下横折れ線４６及び縦折れ線４７で谷折りに折るようになっている。
【００２０】
而して、傾斜支持壁１７を左右の上傾斜ミシン目３７と左右の下傾斜ミシン目３８とでそれらの中央部側から所望長さだけ切断して、傾斜支持壁１７の左右の上傾斜ミシン目３７間（上嵌合舌片４１）と一対の下傾斜ミシン目３８間（下嵌合舌片４２）とを上横折れ線４５と下横折れ線４６とで後方に折り曲げると共に、対応する上傾斜ミシン目３７と下傾斜ミシン目３８との間（左右の側部嵌合舌片４３）を縦折れ線４７で後方に折り曲げることによって、図２及び図３に示しように、傾斜支持壁１７に長方形状の嵌合窓４９が拡縮調整自在に形成可能とされ、この拡縮調整自在の嵌合窓４９で、装飾物保持体４の鍔部８を傾斜支持壁１７の前面に沿わせるように種々の大きさの保持筒部７を確実かつ良好に嵌合保持できるようになっている。
【００２１】
保護ケース５は透明な硬質の合成樹脂により直方体形状に形成され、図示省略しているが、保護ケース５の左右両側の側壁は開閉自在に閉塞されており、側壁を開くことにより、保護ケース５の外端開口から装飾物展示スタンド３及び装飾物保持体４を挿脱自在に収納保持できるようになっている。
そして、保護ケース５の下部は、装飾物展示スタンド３の後壁１６下部と起立壁１８との間を前後に挟持すると共に装飾物展示スタンド３の一対の側壁１９間を左右に挟持するように嵌合して保護ケース５に対して装飾物展示スタンド３乃至装飾物保持体４がガタ付かないように収納保持できるようになっている。
【００２２】
上記実施形態によれば、装飾物展示スタンド３を組み立ててこれに装飾物保持体４を取
り付ける場合、例えば、次のようにすればよい。
まず、傾斜支持壁１７を左右の上傾斜ミシン目３７と左右の下傾斜ミシン目３８とで装飾物保持体４の保持筒部７の大きさに合わせて切断した後、上嵌合舌片４１を上横折れ線４５で後方に折り曲げ、下嵌合舌片４２を下横折れ線４６で後方に折り曲げ、左右の側部嵌合舌片４３を縦折れ線４７でそれぞれ後方に折り曲げて、装飾物保持体４の保持筒部７の大きさに対応する嵌合窓４９を形成する。
【００２３】
その後、全ての折れ線２１を谷折りに折って、左右の側部舌片２９をそれぞれ側部切り込み２４に差し込んで後壁１６の側端部内面に沿わすと共に、左右の側部連結片２８を左右の側壁１９の後端部内面にそれぞれ沿わし、これにより、底壁１５を残して、後壁１６と傾斜支持壁１７と起立壁１８とを三角状に組み合わせると共に、左右の側壁１９で、後壁１６と傾斜支持壁１７と起立壁１８との間の左右方向両端を閉塞する。
【００２４】
次に、上嵌合舌片４１、下嵌合舌片４２及び左右の側部嵌合舌片４３に両面接着テープ５１を貼り付けた後、装飾物保持体４の保持筒部７を嵌合窓４９に嵌合して上嵌合舌片４１、下嵌合舌片４２及び側部嵌合舌片４３を両面接着テープ５１を介して保持筒部７に貼り付ける。
その後、底壁１５の後部舌片３０を後部切り込み２３に差し込んで後壁１６の下端部内面に沿わすと共に、下部連結片２７を底壁１５の後端部内面に沿わせればよく、装飾物展示スタンド３を簡単に立体形状に組み立てることができるし、鍔部８が傾斜支持壁１７に沿うように装飾物保持体４が装飾物展示スタンド３に簡単かつ確実に装着される。
【００２５】
そして、その後は、装飾物保持体４を保持した装飾物展示スタンド３の底壁１５をテーブル等の載置部に載置し、又は、装飾物保持体４を保持した装飾物展示スタンド３を保護ケース５に収納し、この状態で底壁１５をテーブル等の載置部に載置すればよい。
従って、本実施形態では、装飾物保持体４の鍔部８を傾斜支持壁１７の前面に沿わせるように保持筒部７を嵌合窓４９に嵌合保持することによって、装飾物保持体４をテーブル等の設置部上に後上がりに傾斜させた状態でガタ付かないように安定に設置でき、装飾物保持体４に保持した装飾物であるプリザーブドフラワー９をテーブル等の設置部に見やすい状態で展示することが可能になる。
【００２６】
また、嵌合窓４９が拡縮調整自在とされているので、装飾物保持体４の保持筒部７の大きさに合わせて嵌合窓４９を拡縮調整することが可能になり、嵌合窓４９の大きさを保持筒部７に一致させて嵌合窓４９により保持筒部７を確実かつ安定に嵌合保持できるようになし得る。
また、所定形状の厚紙１３を折り曲げることにより前記傾斜支持壁１７と底壁１５と後壁１６とが構成されているので、装飾物展示スタンド３を厚紙１３によって容易かつ安価に製造することができる。
【００２７】
しかも、鍔部８の周囲から傾斜支持壁１７の外周部が突出した状態になって、鍔部８の外周を傾斜支持壁１７の外周部で取り囲んだ状態になるため、例えば、テーブルの上面や部屋の壁等の装飾物保持体４の背景が、鍔部８と近似した色であっても、鍔部８の色彩に対して傾斜支持壁１７の前面を異なる色彩にしておくことにより、装飾物保持体４を際立たせて装飾物保持体４乃至装飾物であるプリザーブドフラワー９を目立たせてその装飾機能を高めることができる。
【００２８】
また、装飾物展示スタンド３と装飾物保持体４とを収納する透明な保護ケース５が具備されているので、保護ケース５によって、装飾物展示スタンド３や装飾物保持体４やこれらによって保持されたプリザーブドフラワー９等の加工花が、これらに外部からものが衝当して破損したりゴミやほこり等が付着して汚れたりするのを効果的に防止することができる。
【００２９】
なお、前記実施形態では、嵌合窓４９を形成するために、傾斜支持壁１７の中央部に左右方向の横切り込み３３と、横切り込み３３の左右両端から上下両側に切り込んでなる左右一対の縦切り込み３４とが設けられているが、これに代え、図５に示すように、傾斜支持壁１７の中央部に左右方向の横切り込み３３を設け、横切り込み３３の左右両端から外側方上がりに傾斜した左右一対の上傾斜ミシン目３７を設けると共に、外側方下がりに傾
斜した左右一対の下傾斜ミシン目３８を設けて、左右の縦切り込み３４を省略するようにしてもよい。また、傾斜支持壁１７の左右幅が短い場合等には、図６に示すように、横切り込み３３及び左右の縦切り込み３４を省略し、外側方上がりに傾斜した左右一対の上傾斜ミシン目３７と、外側方下がりに傾斜した左右一対の下傾斜ミシン目３８とを中央部の１点で連結するようにしてもよい。
【００３０】
また、前記実施形態では、装飾物展示スタンド３を厚紙１３により構成しているが、これに代え、装飾物展示スタンド３を合成樹脂等で成形するようにしてもよい。
また、前記実施形態では、装飾物保持体４の保持筒部７に、装飾物であるプリザーブドフラワー９が保持筒部７の開口側から突出するように保持されているが、これに代え、装飾物保持体４の保持筒部７に、ドライフラワーその他の加工花を保持筒部７の開口側から突出するように保持するようにしてもよいし、また、花以外の貝殻その他の装飾物を保持するようにしてもよい。また、この場合、装飾物保持体４の保持筒部７に、装飾物を保持筒部７の開口側から突出させることなく保持筒部７内にその開口側から露出するように保持してもよい。
【符号の説明】
【００３１】
１      装飾物ディスプレイ装置
３      装飾物展示スタンド
４      装飾物保持体
５      保護ケース
７      保持筒部
８      鍔部
９      プリザーブドフラワー（加工花、装飾物）
１３    厚紙
１５    底壁
１６    後壁
１７    傾斜支持壁
３７    上傾斜ミシン目
３８    下傾斜ミシン目
４９    嵌合窓
【図１】
2014068797.tif 000003
【図２】
2014068797.tif 000004
【図３】
2014068797.tif 000005
【図４】
2014068797.tif 000006
【図５】
2014068797.tif 000007
【図６】
2014068797.tif 000008